(57)【要約】      （修正有）【課題】カップ容器の内容物が、ホットコーヒーなどの熱い内容物であっても、マグカップ同様に、一旦口元の手前で、内容物の注出タイミングおよび内容物の熱さを確認しつつ、口元で内容物を冷ましながら安全かつスムースに飲料可能とし、さらには、蓋体部分の断熱効果を高め、蓋体の縁部分が高温となることを防ぎ、蓋体に直接口元を当接しても、口元を火傷してしまうことのない、安全性の高い飲み口を有する蓋体を提供する。【解決手段】カップ容器の開口部分に取り付けられた、飲み口を有する蓋体において、前記カップ容器に収容される内容物の摂取時、前記蓋体の縁部分に口元を当接して前記内容物を摂取する、飲み口を有する蓋体であって、該蓋体の、前記飲み口を有する天面部分が、前記カップ容器の縁より下方に位置することを特徴とする、飲み口を有する蓋体である。【選択図】図１
2008308225.tif 000002
【特許請求の範囲】
【請求項１】
カップ容器の開口部分に取り付けられた、飲み口を有する蓋体において、
前記カップ容器に収容される内容物の摂取時、前記蓋体の縁部分に口元を当接して前記内容物を摂取する、飲み口を有する蓋体であって、
該蓋体の、前記飲み口を有する天面部分が、前記カップ容器の縁より下方に位置することを特徴とする、飲み口を有する蓋体。
【請求項２】
前記蓋体の縁部分は、前記カップ容器と前記蓋体との２重構造を有することを特徴とする、請求項１記載の飲み口を有する蓋体。
【請求項３】
前記天面は、前記飲み口にかけて傾斜した傾斜面を有することを特徴とする、請求項１乃至２記載の飲み口を有する蓋体。
【請求項４】
前記飲み口に、該飲み口を開閉自在とした、小蓋を形成したことを特徴とする、請求項１乃至３記載の飲み口を有する蓋体。
【請求項５】
前記小蓋に持ち手を形成したことを特徴とする、請求項４記載の飲み口を有する蓋体。
【請求項６】
前記小蓋はヒンジを介して回動自在な小蓋であって、該小蓋の開封時において、前記小蓋に形成された持ち手を、前記蓋体に形成された係合溝へと、嵌合自在に形成したことを特徴とする、請求項５記載の飲み口を有する蓋体。
【発明の詳細な説明】
【技術分野】
【０００１】
本発明は、カップ容器の開口に取り付けられた、天面に飲み口を有する蓋体であって、前記カップ容器の蓋体の縁に口元を当接して内容物を摂取する際に、一旦飲み口から天面に内容物が出た後、口元へと内容物が触れるように構成した、飲み口を有する蓋体に関する。
【背景技術】
【０００２】
従来、図１５（ａ）（ｂ）に示すように、カップ容器２０の開口部分に取り付けられた、飲み口１'を有する蓋体１０が知られており、このような蓋体１０を取り付けたカップ容器Ａ'は、コーヒー店、ファーストフード店、コンビニエンスストア等で、コーヒーやジュースなどの各種飲料の販売に用いられている。
【０００３】
このカップ容器Ａ'は、カップ容器２０に内容物を充填した後、蓋体１０を取り付けるとともに、該蓋体１０の上部に形成された飲み口１'に閉封シールＳを貼ることにより、コーヒー等の飲料（商品）を簡単にテイクアウト（持ち帰り）することが可能である。そして、商品購入後、内容物の摂取時において、飲み口１'の閉封シールＳを剥がすことにより、簡単に内容物を摂取することが可能である。
【０００４】
このように、飲み口１'を有する蓋体１０を一体に形成したカップ容器Ａ'は、販売時に、熱いコーヒーなどの飲料を持ち帰りで提供することが可能な利点があり、他方、消費者にとっても、移動中に携帯しつつ摂取することができるという利点がある。
【０００５】
しかしながら、このような飲み口１'を有する蓋体１０は、カップ容器２０の上方に取り付けられるとともに、内容物を摂取するための飲み口部分１'がさらに蓋体１０の上方に位置するため、内容物を摂取する際に、飲み口１'に内容物が達する位置まで、カップ容器２０を大きく傾ける必要があり、通常のマグカップとは摂取時の感覚が大きく異なるという問題がある。
【０００６】
すなわち、通常のマグカップＭは、カップの縁に口元を当接し、図１６に示すように、内容物の液面Ｅがカップの縁９'に接する位置において、内容物を摂取するが、図１７に示すように、飲み口を有する蓋体１０を形成したカップ容器Ａ'では、カップ容器２０の縁９'よりもさらに上方の位置に形成された飲み口１'に内容物が達するまでカップ容器２０を大きく傾ける必要がある。
【０００７】
よって、通常のマグカップＭとは異なるタイミングで内容物が注出されるため、内容物の摂取に違和感があるばかりでなく、さらには、蓋体１０に形成された飲み口１'へと直接唇を当接させて内容物を摂取する必要があるため、内容物が注出するタイミングを目視で確認することができず、熱い飲料を摂取する際には、予期せぬタイミングで熱い内容物が口中へと注出してしまい、唇や口中を火傷してしまうというという問題があった。
【０００８】
また、従来の蓋体は、口元と接する蓋体部分が樹脂で形成されており、熱い内容物が直接口元と当接する蓋体部分に接するため、蓋体部分の樹脂が加熱してしまうという問題があった。よって、熱い内容物と、口元とが、蓋体部分の樹脂のみで隔てられており、加熱された蓋体部分で口元を火傷してしまうという恐れがある。
【０００９】
このように、従来の飲み口１'を有する蓋体１０を形成したカップ容器Ａ'は、マグカップＭと異なる飲み方を要し、内容物の摂取が困難なばかりでなく火傷等の危険を伴うため、熱い内容物を摂取する際には十分な注意が必要であった。
【発明の開示】
【発明が解決しようとする課題】
【００１０】
本発明は、このような問題点を解決するためになされたものであり、その課題は、主に、携帯に便利な、飲み口を有するカップ容器の蓋体において、内容物を摂取する際にも、通常のマグカップに近い感覚で、カップ容器の内容物を摂取可能な、飲み口を有するカップ容器の蓋体を提供することである。
【００１１】
また、たとえカップ容器の内容物が、ホットコーヒーなどの熱い内容物であっても、マグカップ同様に、一旦口元の手前で、内容物の注出タイミングおよび内容物の熱さを確認しつつ、口元で内容物を冷ましながら安全かつスムースに飲料可能とし、さらには、蓋体部分の断熱効果を高め、蓋体の縁部分が高温となることを防ぎ、蓋体に直接口元を当接しても、口元を火傷してしまうことのない、安全性の高い飲み口を有する蓋体を提供することを課題とする。
【課題を解決するための手段】
【００１２】
上記課題を解決するため、本発明の請求項１記載の発明は、カップ容器の開口部分に取り付けられた、飲み口を有する蓋体において、前記カップ容器に収容される内容物の摂取時、前記蓋体の縁部分に口元を当接して前記内容物を摂取する、飲み口を有する蓋体であって、該蓋体の、前記飲み口を有する天面部分が、前記カップ容器の縁より下方に位置することを特徴とする、飲み口を有するカップ容器の蓋体である。
【００１３】
また、請求項２記載の発明は、前記蓋体の縁部分は、前記カップ容器と前記蓋体との２重構造を有することを特徴とする、飲み口を有するカップ容器の蓋体である。
【００１４】
また、請求項３記載の発明は、前記天面は、前記飲み口にかけて傾斜した傾斜面を有することを特徴とする、請求項１記載の飲み口を有するカップ容器の蓋体である。
【００１５】
また、請求項４記載の発明は、前記飲み口に、該飲み口を開閉自在とした、小蓋を形成したことを特徴とする、飲み口を有するカップ容器の蓋体である。
【００１６】
また、請求項５記載の発明は、前記小蓋に、持ち手を形成したことを特徴とする、飲み口を有するカップ容器の蓋体である。
【００１７】
また、請求項６記載の発明は、前記小蓋はヒンジを介して回動自在な小蓋であって、該小蓋の開封時において、前記小蓋に形成された持ち手を、前記蓋体に形成された係合溝へと、嵌合自在に形成したことを特徴とする、飲み口を有するカップ容器の蓋体である。
【発明の効果】
【００１８】
本発明の請求項１記載の発明は、カップ容器の開口部分に取り付けられた、飲み口を有する蓋体において、前記カップ容器に収容される内容物の摂取時、前記蓋体の縁部分に口元を当接して前記内容物を摂取する、飲み口を有する蓋体であって、該蓋体の、前記飲み口を有する天面部分が、前記カップ容器の縁より下方に位置することを特徴とするから、蓋体に口元を当接してカップ容器の内容物を摂取する際に、飲み口から直接内容物が口元に触れることなく、飲み口から天面に内容物が一旦出た後、天面上の内容物が口元へと内容物が触れるため、熱い内容物であっても、安全に摂取することが可能である。よって、通常のマグカップ同様に、カップ容器の縁から、内容物の注出タイミングおよび内容物の熱さを確認しつつ、口元で内容物を冷ましながら安全に内容物を摂取することが可能である。
【００１９】
また、請求項２記載の発明は、前記蓋体の縁部分は、前記カップ容器と前記蓋体との２重構造を有することを特徴とするから、口元と接する蓋体の縁部分が、カップ容器と蓋体との２重構造となるため、たとえ熱い内容物であっても、蓋体の縁部分に、内側から内容物が直接触れることがなく、蓋体の縁部分が直接加熱されることを防ぐことが可能である。よって、口元を当接する部分の断熱効果が高く、蓋体の縁が高温となることがないため、蓋体の縁部分に直接口元を当接しても、口元を火傷してしまうことがなく安全に内容物を摂取することが可能である。
【００２０】
また、請求項３記載の発明は、前記天面は、前記飲み口にかけて傾斜した傾斜面を有することを特徴とするから、天面上の内容物が、傾斜面を通り再び飲み口へと流入することが可能である。よって、天面に内容物が残留することなく、常に天面を清潔な状態とすることが可能であり、天面上の内容物で火傷してしまう恐れがない。
【００２１】
また、請求項４記載の発明は、前記飲み口に、該飲み口を開閉自在とした、小蓋を形成したことを特徴とするから、カップ容器を携帯した状態、若しくは自動車や電車など、振動を伴う状況であっても、飲み口を閉封することが可能であり、カップ容器の内容物が、飲み口から飛散して火傷してしまう恐れがない。
【００２２】
また、請求項５記載の発明は、前記小蓋に、持ち手を形成したことを特徴とするから、持ち手部分をつまんで、簡単に飲み口の小蓋を開封することが可能である。
【００２３】
また、請求項６記載の発明は、前記小蓋はヒンジを介して回動自在な小蓋であって、該小蓋の開封時において、前記小蓋に形成された持ち手を、前記蓋体に形成された係合溝へと、嵌合自在に形成したことを特徴とするから、内容物を摂取する際に、開封した状態の小蓋が後戻りして、飲み口を閉塞してしまうことを防ぐことが可能である。
【発明を実施するための最良の形態】
【００２４】
本発明に係る飲み口を有する蓋体１０（蓋体１０）の一例としては、図１（ａ）に示すように、内容物が充填される紙製カップ２０（カップ容器２０）の開口に取り付けられた、樹脂性の蓋体１０であって、図１（ｂ）に示すように、該蓋体１０の天面５には、カップ容器１０の内容物が注出される飲み口１が形成されるとともに、該飲み口１を開閉自在とする小蓋２が形成されている。
【００２５】
特に、前記カップ容器の縁と、蓋体の縁とが略一致するとともに、蓋体の前記飲み口１を有する天面部分５が、前記カップ容器２０の縁（蓋体の縁９）よりさらに下方に位置しており、このため、蓋体の縁９と、飲み口１を有する天面５との、間に空間（注出空間）が形成されている。
【００２６】
よって、後述する、たとえ熱い内容物を摂取する際にも、カップ容器２０の内容物を、一旦、前記注出空間Ｔへと注ぎ出した後、内容物の熱さ等を確認しつつ安全に摂取することが可能であり、急な内容物の注出による口内の火傷等を防ぐことが可能である。
【００２７】
また、口元と接する蓋体の縁部分９が、カップ容器２０と蓋体１０との２重構造となるため、たとえ熱い内容物であっても、蓋体の縁９に内側から内容物が直接触れることがなく、蓋体の縁９が直接加熱されることを防ぐことが可能である。よって、蓋体の縁部分９の断熱効果が高く、蓋体の縁９が高温となることがないため、蓋体の縁９に直接口元を当接しても、口元を火傷してしまうことがなく安全に内容物を摂取することが可能である。
【００２８】
以下に、本発明の飲み口を有する蓋体１０について詳しく説明する。
本発明の飲み口を有する蓋体１０には、図２（ａ）（ｂ）に示すように、該蓋体１０の外周が上方へと突出した環状の縁９が形成されている。この蓋体の縁９は、縁の側面部分が凹凸形状をなしており、該凹凸形状からなる側面の内側部分Ｄ（嵌合部Ｄ）が、後述する、カップ容器２０の縁２９へと嵌合して、蓋体１０とカップ容器２０とを一体に形成することが可能である。
【００２９】
前記蓋体の縁９に囲まれた天面部分は、高さの異なる複数の天面部分からなり、蓋体の縁９と略同じ高さに形成された上天面６と、蓋体の縁９より下方に位置する下天面５と、前記上天面６と下天面５とを連結する斜めに傾斜した傾斜面７とからなる。
【００３０】
特に、内容物を注出するための開口からなる前記飲み口１は、前記下天面５の、前記蓋体の縁９寄りに形成されており、飲み口１と蓋体の縁９との間には、高さｔを有する注出空間Ｔが形成されている。
【００３１】
これにより、後述する、カップ容器２０の内容物を摂取する際に、内容物が飲み口１から直接口元に当接することなく、内容物が一旦、前記注出空間Ｔへと注出された後、蓋体の縁９において口元と接するため、内容物の温度や、注出タイミングを確認しつつ、内容物を安全に摂取することが可能である。特に、ホットコーヒーなどの熱い内容物の場合、前記注出空間Ｔにおいて内容物を冷ましつつ摂取することが可能であり、さらには、紅茶やコーヒーなどの香りを楽しむことが可能である。
【００３２】
また、前記飲み口１は、持ち手３を有する小蓋２で閉封することが可能であり、移動中などの振動を伴う状況であっても、内容物が飲み口１から飛散してしまうことを防ぐことが可能である。
【００３３】
この小蓋２は、前記飲み口１と同形状からなる面２で飲み口１を閉封するとともに、上方へと突出した形状からなる持ち手３を有している。そして、該小蓋２はヒンジ８を介して天面５と一体に形成されるとともに、小蓋２の後方の前記傾斜面７には、小蓋２の持ち手３と略同形状の窪み４からなる係合溝４が形成されている。
【００３４】
そして、小蓋２の前記持ち手３をつまんで、ヒンジ８を軸に小蓋２を後方へと回動した後、持ち手部分３を前記係合溝４へと係合することにより、図３に示すように、簡単に小蓋２を開封した状態でロックすることが可能である。
【００３５】
よって、飲み口１を小蓋２で閉封することが可能であるとともに、開封後の小蓋２を、係合溝４にロックすることが可能であるから、カップ容器２０を傾けて内容物を摂取する際にも、小蓋２が後戻りして、飲み口１を塞いでしまうことを防ぐことが可能である。
【００３６】
次に、本発明の蓋体１０を取り付けるカップ容器２０の一例について説明する。
内容物を充填するカップ容器２０の一例としては、図４に示すように、底部２２と側面２３とを有する、円筒状の紙製カップ容器２０であって、該カップ容器２０の上部開口２１には、開口２１の外周縁に沿って、巻き返しからなるカップ容器２０の縁２９が形成されている。
【００３７】
そして、前記蓋体の縁９の内側部分の嵌合部Ｄを前記カップ容器の縁２９へと嵌合することにより、図５に示すように、本発明の蓋体１０を有するカップ容器Ａ（カップ容器Ａ）を形成することが可能である。
【００３８】
特に、前記カップ容器２０の縁２９と、蓋体１０の縁９とのそれぞれの高さが略一致するとともに、蓋体１０の飲み口１が、蓋体１０の縁９より下方に位置している。
このため、蓋体の縁９へと口元を当接して内容物を摂取する際に、カップ容器２０の内容物が、一旦飲み口１から天面上５に注出した後、蓋体の縁９から摂取することが可能であり、熱い内容物等であっても火傷の恐れがなく、安全に内容物を摂取することが可能である。
【００３９】
また、口元と接する蓋体の縁部分９が、カップ容器２０と蓋体１０との２重構造となるため、たとえ熱い内容物であっても、蓋体の縁９に内側から内容物が直接触れることがなく、蓋体の縁９が直接加熱されることを防ぐことが可能である。よって、蓋体の縁部分９の断熱効果が高く、蓋体の縁９が高温となることがないため、蓋体の縁９に直接口元を当接しても、口元を火傷してしまうことがなく安全に内容物を摂取することが可能である。
【００４０】
すなわち、このような蓋体１０を有するカップ容器Ａを用いた飲料等の商品を提供する際には、図６に示すように、まず、カップ容器に熱いコーヒーなどの内容物Ｅを充填した後、カップ容器２０の縁２９へと蓋体１０の縁９を嵌合することにより、蓋体１０を有するカップ容器Ａを形成する。
【００４１】
そして、商品購入後の使用者は、図７に示すように、蓋体１０に形成された小蓋２の持ち手３をつまみ、持ち上げることにより、簡単に飲み口１を形成するとともに、小蓋２の持ち手３を係合溝４へと係合して小蓋２をロックした後、図８に示すように、カップ容器２０を徐々に傾けつつ、飲み口１から内容物Ｅを注出した後、カップ容器２０の縁２９（蓋体の縁９）に口元を当接した状態で、カップ容器の内容物Ｅを摂取することが可能である。
【００４２】
特に、本発明の蓋体１０は、内容物Ｅが飲み口１から一旦天面上５の注出空間Ｔへと注出した後、蓋体の縁９から内容物Ｅを摂取することが可能である。よって、飲み口１から注出した内容物Ｅが、直接口元に触れることなく、一旦注出空間Ｔへと溜まるため、ホットコーヒー等の熱い内容物Ｅであっても、通常のマグカップ同様に、カップ容器の縁２９（蓋体の縁９）から、内容物Ｅの注出タイミングおよび内容物Ｅの熱さを確認しつつ、内容物を冷ましながら、安全に摂取することが可能である。
【００４３】
また、口元と接する蓋体の縁部分９が、カップ容器２０と蓋体１０との２重構造となるため、たとえ熱い内容物であっても、蓋体の縁９に内側から内容物が直接触れることがなく、蓋体の縁９が直接加熱されることを防ぐことが可能である。よって、蓋体の縁部分９の断熱効果が高く、蓋体の縁９が高温となることがないため、蓋体の縁９に直接口元を当接しても、口元を火傷してしまうことがなく安全に内容物を摂取することが可能である。
【００４４】
さらには、蓋体の縁９から、内容物Ｅと空気とを同時に摂取することが可能であり、消費者の好みで内容物Ｅの温度を調節しつつ内容物Ｅを摂取することが可能である。また、内容物Ｅを一旦注出した後、内容物Ｅを摂取するため、コーヒーや紅茶等を内容物とした場合、これらの香りを楽しむことが可能である。
【００４５】
このように、蓋体１０に形成された飲み口１が、カップ容器２０の縁２９より下方に位置することにより、図９（ａ）に示すように、カップ容器２０を傾けた際に、内容物Ｅを、カップ容器２０の縁（蓋体１０の縁９）で摂取することが可能であり、内容物Ｅを採取する際に、本発明の蓋体１０を用いた場合のカップ容器Ａの傾きθ1は、図９（ｂ）に示すように、通常のマグカップＭ同様の傾きθ2をもって（θ1≒θ2）、内容物Ｅの摂取が可能である。
【００４６】
一方、従来の蓋体１０'を有するカップ容器Ａ'は、図９（ｃ）に示すように、カップ容器２０の縁部分で内容物Ｅを摂取することができず、カップ容器２０の縁よりさらに高い位置に形成された蓋体１０'の縁９'部分から内容物を摂取するため、カップ容器２０を大きく傾けて（θ3）内容物を摂取する必要がある（θ3≫θ1≒θ2）。
【００４７】
このため、カップ容器２０の内容物Ｅが、蓋体１０'の飲み口１'へと、カップ容器２０の縁部分より遅れて到達するため、マグカップＭに比べて内容物の注出タイミングが遅れるとともに、蓋体１０'の飲み口１'から勢いよく内容物が注出することとなる。
【００４８】
特に、従来の蓋体１０'は、飲み口１'と口元とが直接当接する構成であり、意図しないタイミングで、ホットコーヒー等の熱い内容物Ｅが、飲み口１'から口内へと直接浸入してしまうと、口内を火傷してしまう恐れがあり、内容物Ｅの摂取には細心の注意が必要である。
【００４９】
これに対して、本発明の蓋体１０は、飲み口１から直接内容物Ｅが口元に触れることなく、飲み口１から一旦天面上５に内容物Ｅを注出した後、蓋体の縁９へと口元を当接した状態で摂取可能であるため、たとえ熱い内容物Ｅであっても、内容物Ｅの注出タイミングおよび内容物Ｅの熱さを確認しつつ、口元で内容物Ｅを冷ましながら安全に摂取することが可能である。
【００５０】
さらに、従来の蓋体１０'は、飲み口部分１が高い位置に形成されており、飲み口１の蓋体部分１０'と口元とが直接当接するため、熱い内容物Ｅによる蓋体１０'の加熱等により、蓋体１０'と接する口元を火傷してしまう恐れがあった。
【００５１】
特に、従来の蓋体は、口元と接する蓋体部分１０'が樹脂で形成されており、熱い内容物が直接口元と当接する蓋体部分に接するため、蓋体部分の樹脂が加熱してしまうという問題があった。よって、熱い内容物と、口元とが、蓋体部分の樹脂のみで隔てられており、加熱された蓋体部分で口元を火傷してしまう恐れがあった。
【００５２】
これに対して本発明の蓋体１０は、口元と接する蓋体部分１０が樹脂であっても、カップ容器２０が紙製であり、蓋体の縁９とカップ容器の縁２９とが、樹脂と紙との２重構造となるため、たとえ熱い内容物であっても、蓋体の樹脂に、内側から内容物が直接触れることがなく、蓋体１０の樹脂が直接加熱されることを防ぐことが可能である。
【００５３】
よって、蓋体部分の断熱効果が高く、蓋体の縁部分９が高温となることがないため、蓋体の縁９に直接口元を当接しても、口元を火傷してしまうことがなく安全に内容物を摂取することが可能である。さらには、蓋体の縁９と口元との接する面が少ないため、熱い内容物が蓋体１０に接することにより生じる樹脂臭を抑えることが可能である。
【００５４】
また、従来の蓋体１０'は、蓋体１０'自体の高さが高いため、複数の蓋体１０'を積み重ねるとかさばってしまうという問題があった。本発明の蓋体１０は、飲み口１が低い位置に形成されており、蓋体１０の高さを低く抑えることが可能であるため、複数の蓋体１０を積み重ねてもかさばることなく、蓋体１０の輸送効率を向上することが可能である。さらには、本発明の蓋体１０は、従来の蓋体１０'に比べ、蓋体の高低差が小さいため、蓋体１０の成形に用いるシート（樹脂性シート）を薄くすることが可能である。
【００５５】
本発明の飲み口を有する蓋体１０は、上記例に限らず、例えば図１０（ａ）（ｂ）に示すように、天面が連続した曲面からなる傾斜面７を有し、該傾斜面７が、飲み口に向かって窪む形状であってもよい。すなわち前記傾斜面７が、飲み口１を有する天面５にかけて下り勾配を有し、飲み口１から放射状に形成された曲面形状を有している。
【００５６】
そして、このような蓋体１０の嵌合部Ｄを前記カップ容器２０の縁２９へと嵌合することにより、図１１に示すように、本発明の蓋体１０を有するカップ容器Ａ（カップ容器Ａ）を形成することが可能であり、天面部分７が飲み口１にかけて窪む、滑らかな曲面７を形成することで、内容物が天面７に付着することを防ぐとともに、常に蓋体１０の天面を清潔な状態とすることが可能である。
【００５７】
また、図１２（ａ）（ｂ）に示すように、前記傾斜面７は、飲み口１に向かって窪む形状を有するとともに、傾斜面７の一部が、蓋体の縁９より上方へと突出した形状としてもよく、さらには、蓋体の縁９から下方にかけて長めのスカート部１１を形成してもよい。
【００５８】
そして、このような蓋体１０の嵌合部Ｄを前記カップ容器の縁２９へと嵌合することで、図１３に示すように、本発明の蓋体１０を有するカップ容器Ａ（カップ容器Ａ）を形成することが可能であり、内容物が天面７に付着することを防ぐばかりでなく、意匠性の高い蓋体１０を提供することが可能である。さらには、蓋体の縁部分９に口元を当接して内容物を摂取する際にも、下唇がスカート部１１へと違和感なく当接するとともにカップ容器２０との間に隙間が形成されるため、よりスムースかつ安全に内容物を摂取することが可能である。
【００５９】
さらには、図１４に示すように、複数段からなる傾斜面７，７を形成することにより、使用性のみならず意匠性をも向上することも可能であり、何れにせよ、本発明の蓋体１０は、前記飲み口１を有する天面部分５が、前記カップ容器２０の縁２９より下方に位置する構成であって、蓋体１０の天面部分が、飲み口にかけて傾斜した傾斜面７を有し、該傾斜面７が飲み口１に向かって窪んだ形状であれば、曲面、斜面、複数段など、傾斜面７の形状は特に限定されるものではない。
【００６０】
以上のように、本発明の蓋体１０は、前記カップ容器２０に収容される内容物の摂取時、前記蓋体１０の縁９部分に口元を当接して前記内容物を摂取する、飲み口を有する蓋体１０であって、該蓋体１０の、前記飲み口を有する天面部分５が、前記カップ容器２０の縁２９より下方に位置する簡単な構成により、蓋体１０に口元を当接してカップ容器２０の内容物を摂取する際に、飲み口１から直接内容物が口元に触れることなく、飲み口１から一旦天面上５に内容物が注出した後、蓋体の縁９へと口元を当接した状態で摂取可能であるため、たとえ熱い内容物であっても、内容物の注出タイミングおよび内容物の熱さを確認しつつ、口元で内容物を冷ましながら安全に摂取することが可能である。
【００６１】
また、前記蓋体１０の縁部分９は、前記カップ容器２０と前記蓋体１０との２重構造を有するから、口元と接する蓋体の縁部分９が、カップ容器２０と蓋体１０との２重構造となるため、たとえ熱い内容物であっても、蓋体の縁部分９に、内側から内容物が直接触れることがなく、蓋体の縁部分９が直接加熱されることを防ぐことが可能である。よって、蓋体の縁部分９の断熱効果が高く、蓋体の縁９が高温となることがないため、蓋体に直接口元を当接しても、口元を火傷してしまうことがなく安全に内容物を摂取することが可能である。
【００６２】
さらには、本発明の蓋体１０は、蓋体１０の天面部分が、飲み口にかけて傾斜した傾斜面７を有することを特徴とするから、飲み口１から天面上へと注出した内容物が、傾斜面７から再び飲み口１へと流入するため、常に蓋体１０の天面を清潔な状態とすることが可能であり、天面に残留する熱い内容物で火傷してしまう恐れがない。
【００６３】
また、前記飲み口１に、該飲み口１を開閉自在とした、小蓋２を形成することにより、カップ容器Ａを携帯した状態での移動中や、自動車や電車等の振動を伴う状況であっても、カップ容器Ａの内容物が、飲み口１から飛散して火傷してしまう恐れがない。さらには、前記小蓋２に持ち手３を形成することにより、持ち手部分３をつまんで、簡単に飲み口１を開封することが可能である。
【００６４】
また、前記小蓋２は、ヒンジ８を介して開閉自在な小蓋２であって、該小蓋２を開封した状態で、前記小蓋２に形成された持ち手３を、前記蓋体１０に形成された係合溝４へと、係合自在に形成したことを特徴とするから、内容物を摂取する際に、小蓋２を開封した状態でロックすることが可能であり、小蓋２が後戻りして飲み口１を閉塞してしまうようなことがない。
【００６５】
本発明の飲み口１を有する蓋体１０は、前記蓋体の縁９と前記天面５に形成された飲み口１との間の前記高さｔが、１０ｍｍ以上であることが望ましく、さらに望ましくは１５ｍｍ以上であることが望ましい。これにより、蓋体の天面部分に大きな注出空間Ｔを確保することが可能であり、熱い内容物であっても、内容物の注出タイミングおよび内容物の熱さを確認して、安全に摂取することが可能である。
【００６６】
本発明の飲み口１を有する蓋体１０に用いる材料の一例としては、低密度ポリエチレン樹脂、中密度ポリエチレン樹脂、高密度ポリエチレン樹脂、直鎖状低密度ポリエチレン樹脂、ポリスチレン樹脂、アイオノマー樹脂、ポリプロピレン樹脂、アクリル樹脂、ナイロン樹脂、ポリエステル系樹脂、ポリカーボネート樹脂等の樹脂を挙げることができる。
【００６７】
また、カップ容器２０としては、紙製のカップ容器を示したが、これに限らず、多層コーティング紙や樹脂性のカップ容器であってもよく、前記蓋体や前記カップ容器の材質は特に限定されるものではない。そして、カップ容器２０の内容物の一例としては、コーヒー、紅茶、ミルク等の熱い内容物のみならず、ジュース、炭酸飲料などの各種飲料が挙げられる。
【図面の簡単な説明】
【００６８】
【図１】本発明の飲み口を有する蓋体を取り付けたカップ容器の一例を示す図である。  （ａ）蓋体の閉封時を示す図である。  （ｂ）蓋体の開封時を示す図である。
【図２】本発明の飲み口を有する蓋体の閉封時を示す説明図である。  （ａ）飲み口を有する蓋体を示す図である。  （ｂ）飲み口を有する蓋体の断面視説明図である。
【図３】本発明の飲み口を有する蓋体の開封時を示す説明図である。  （ａ）飲み口を有する蓋体を示す図である。  （ｂ）飲み口を有する蓋体の断面視説明図である。
【図４】カップ容器を示す一部切断説明図である。
【図５】飲み口を有する蓋体を取り付けたカップ容器の一部切断説明図である。
【図６】飲み口を有する蓋体を取り付けたカップ容器の使用例である。
【図７】飲み口を有する蓋体を取り付けたカップ容器の使用例である。
【図８】飲み口を有する蓋体を取り付けたカップ容器の一部切断説明図である。
【図９】飲み口を有する蓋体を取り付けたカップ容器の比較例を示す説明図である。
【図１０】本発明の飲み口を有する蓋体の別の例を示す説明図である。  （ａ）飲み口を有する蓋体を示す図である。  （ｂ）飲み口を有する蓋体の断面視説明図である。
【図１１】飲み口を有する蓋体を取り付けたカップ容器の一部切断説明図である。
【図１２】本発明の飲み口を有する蓋体のさらに別の例を示す説明図である。  （ａ）飲み口を有する蓋体を示す図である。  （ｂ）飲み口を有する蓋体の断面視説明図である。
【図１３】飲み口を有する蓋体を取り付けたカップ容器の一部切断説明図である。
【図１４】本発明の飲み口を有する蓋体のさらに別の例を示す説明図である。
【図１５】従来の飲み口を有する蓋体を取り付けたカップ容器を示す説明図である。  （ａ）閉封時を示す図である。  （ｂ）開封時を示す図である。
【図１６】通常のマグカップを示す使用例である。
【図１７】従来の飲み口を有する蓋体を取り付けたカップ容器を示す使用例である。
【符号の説明】
【００６９】
１  飲み口
２  小蓋
３  持ち手
４  係合溝
５  天面（下天面）
６  天面（上天面）
７  天面（傾斜面）
８  ヒンジ
９  蓋体の縁（縁部分）
１０  飲み口を有する蓋体（蓋体）
１１  スカート部
２０  カップ容器
２１  開口
２２  側面
２３  底面
２９  カップ容器の縁
Ａ  蓋体を有するカップ容器（カップ容器）
Ｄ  凹凸形状の嵌合部
Ｅ  内容物（内容物の液面）
ｔ  蓋体の縁と飲み口１との間の高さ
【図２】
2008308225.tif 000003
【図５】
2008308225.tif 000004
【図１】
2008308225.tif 000005
【図３】
2008308225.tif 000006
【図４】
2008308225.tif 000007
【図６】
2008308225.tif 000008
【図７】
2008308225.tif 000009
【図８】
2008308225.tif 000010
【図９】
2008308225.tif 000011
【図１０】
2008308225.tif 000012
【図１１】
2008308225.tif 000013
【図１２】
2008308225.tif 000014
【図１３】
2008308225.tif 000015
【図１４】
2008308225.tif 000016
【図１５】
2008308225.tif 000017
【図１６】
2008308225.tif 000018
【図１７】
2008308225.tif 000019